(57)【要約】【課題】小部数の印刷製品から産業的な印刷製品までを経済的に製造することができる方法を提供する。【解決手段】印刷製品を製造するために、制御装置（１５）と中本（８）を製造するための少なくとも１台の印刷機（４）と前記中本（８）を搬送するための少なくとも１台の搬送装置（９）と少なくとも１台の後加工装置（１９，１９′）を備えてなる装置（１）を設ける。前記後加工装置（１９，１９′）内において前記中本（８）にそれぞれ表紙（１３）を取り付ける。表紙（１３）を予め製造して蓄積器（１６）内に供給しそこで識別する。蓄積器（１６）内への表紙（１３）の供給に応答して少なくとも１台の印刷機（４）に中本（８）の製造を開始させる。搬送装置（９）は前記蓄積器（１６）の容量以内のうちに製造された中本（８）を後加工装置（１９）に給入する。【選択図】図１
2010100059.tif 000002
【特許請求の範囲】
【請求項１】
制御装置（１５）と中本（８）を製造するための少なくとも１台の印刷機（４）と前記中本（８）を搬送するための少なくとも１台の搬送装置（９）と前記中本（８）にそれぞれ表紙（１３）を取り付ける少なくとも１台の後加工装置（１９，１９′）を備えてなる装置（１）を使用して印刷製品を製造する方法であり、表紙（１３）を予め製造して少なくとも１台の蓄積器（１６）内に供給し、制御装置（１５）が蓄積器（１６）内への表紙（１３）の供給に応答して少なくとも１台の印刷機（４）に中本（８）の製造を開始させることを特徴とする方法。
【請求項２】
表紙（１３）が前記少なくとも１台の蓄積器（１６）内において個別に格納されることを特徴とする請求項１記載の方法。
【請求項３】
表紙（１３）がいずれも前記少なくとも１台の蓄積器（１６）への収容に際して識別されることを特徴とする請求項１または２記載の方法。
【請求項４】
中本（８）の製造は表紙（１３）の識別直後に開始されることを特徴とする請求項３記載の方法。
【請求項５】
制御装置（１５）が識別された表紙（１３）のうちの１枚を選出しその表紙に基づいて中本（８）の製造を開始させることを特徴とする請求項３記載の方法。
【請求項６】
表紙（１３）が前記少なくとも１台の蓄積器（１６）内においていずれもポケット（１８）内に格納されることを特徴とする請求項１ないし５のいずれかに記載の方法。
【請求項７】
中本（８）の製造が開始された後に前記少なくとも１台の蓄積器（１６）の貯蔵容量の範囲内のうちに前記中本（８）が後加工装置（１９）に供給されるように搬送装置（９）が制御されることを特徴とする請求項１ないし６のいずれかに記載の方法。
【請求項８】
表紙（１３）が装置（１）の外部あるいは内部において少なくとも１台の表紙（１３）を製造するための装置（１２）によって予め製造されることを特徴とする請求項１ないし７のいずれかに記載の方法。
【請求項９】
表紙（１３）はフィーダ（２７）によって前記少なくとも１台の蓄積器（１６）に給入されることを特徴とする請求項１ないし８のいずれかに記載の方法。
【請求項１０】
表紙（１３）はその表紙（１３）を製造するための装置（１２）から搬送装置（１４）を使用して蓄積器（１６）に供給されることを特徴とする請求項１ないし９のいずれかに記載の方法。
【請求項１１】
中本（８）と表紙（１３）からソフトカバー（接着）無線綴じ、ハードカバー綴じ付け、あるいはスティッチングされた印刷製品が製造されることを特徴とする請求項１ないし１０のいずれかに記載の方法。
【請求項１２】
制御装置（１５）と中本（８）を製造するための少なくとも１台の印刷機（４）と前記中本を搬送するための少なくとも１台の搬送装置（９）と前記中本（８）にそれぞれ表紙（１３）を取り付ける少なくとも１台の後加工装置（１９，１９′）を備えてなる印刷製品の製造装置であり、前記装置が少なくとも１台の蓄積器（１６）を備えていてそれに対して表紙（１３）を供給可能であり、前記制御装置（１５）が少なくとも１台の蓄積器（１６）内への表紙（１３）の供給に応答して少なくとも１台の印刷機（４）に中本（８）の製造を開始させることを特徴とする装置。
【請求項１３】
蓄積器（１６）に対して表紙（１３）を識別する手段（２８）が割り当てられることを特徴とする請求項１２記載の装置。
【請求項１４】
中本（８）はいずれも搬送装置（９）を使用して前記少なくとも１台の印刷機（４）から少なくとも１台の後加工装置（１９）に供給可能であることを特徴とする請求項１２または１３記載の装置。
【請求項１５】
搬送装置（９）が少なくとも１つの受容部（２５，２５′）と少なくとも１つの放出部（２６）を備えることを特徴とする請求項１２ないし１４のいずれかに記載の装置。
【請求項１６】
少なくとも１台の表紙（１３）を製造するための装置（１２）を備えるか、あるいは表紙（１３）を外部から供給可能であることを特徴とする請求項１２ないし１５のいずれかに記載の装置。
【請求項１７】
表紙（１３）がいずれもフィーダ（２７）によって少なくとも１台の蓄積器（１６）に供給可能であることを特徴とする請求項１２ないし１６のいずれかに記載装置。
【請求項１８】
表紙（１３）を識別するための手段（２８）がフィーダ（２７）上に配置されることを特徴とする請求項１７記載の装置。
【請求項１９】
前記少なくとも１台の蓄積器（１６）が表紙（１３）のための複数の格納スペースを備え、いずれの時点においてもいずれの格納スペースからも表紙（１３）を呼び出し可能であるとともにそれを少なくとも１台の後加工装置（１９）に供給可能であることを特徴とする請求項１２ないし１８のいずれかに記載の装置。
【請求項２０】
前記少なくとも１台の印刷機（４）がデジタル印刷機であることを特徴とする請求項１２ないし１９のいずれかに記載の装置。
【請求項２１】
少なくとも１台の蓄積器（１６）がそれぞれ１枚の表紙（１３）を格納可能である複数のポケット（１８）を有する蓄積器回転体（１７）を備えることを特徴とする請求項１２ないし２０のいずれかに記載の装置。
【請求項２２】
蓄積器（１６）が加工装置（１９，１９′）上あるいはその直前に配置されることを特徴とする請求項１２ないし２１のいずれかに記載の装置。
【発明の詳細な説明】
【技術分野】
【０００１】
この発明は、制御装置と中本を製造するための少なくとも１台の印刷機と中本を搬送するための少なくとも１台の搬送装置と中本にそれぞれ表紙を取り付ける少なくとも１台の後加工装置を備えてなる装置を使用して印刷製品を製造する方法に関する。
【背景技術】
【０００２】
例えば書籍、パンフレット、雑誌、ならびにカタログ等の印刷製品を製造するために多様な印刷および製本方式が知られている。その際極めて多種の紙質、フォーマット、ならびに装飾が使用される。一般的には極めて高い品質が要求される。そのことは、印刷製品がデジタル方式によって小部数で製造される場合も同様である。加えて、大部数ならびに小部数の両方、さらに単一印刷物の製造の全てを可能にする高い柔軟性を有する方式が要求される。その際デジタル印刷が特に好まれ、その理由はこの技術によれば印刷製品を完全に１サイクルの連続作業によって印刷することができるためである。書籍製造の個々の加工ステップを直接的に前後して（インライン）実行し連係させることも知られている。その際の問題点は、ソフトカバー表紙あるいはハードカバー用硬質表紙の製造が一般的に連係にあまり適していなため、通常それらを予め製造しておかなければならない点である。例えば表紙の製造に際してシリコン油等の剥離剤が使用され、それを積層化の前に揮発させる必要がある。このために一定の待ち時間が条件になる。
【０００３】
従来の技術において本出願人による欧州特許出願公開第１２８８０１５号Ａ１明細書により、印刷紙葉を丁合装置によって中本に丁合しその後無線綴じ機に搬入する方式が知られている。無線綴じ機内において中本背部を機械的に加工して接着剤塗付し、さらに表紙を取り付ける。
【０００４】
本出願人の欧州特許出願公開第１８８０８６３号Ａ１明細書により、加工装置への路程中において表紙を蓄積器に給入する方式が知られている。中本はいずれも識別コードを備えている。ある中本が識別されると制御装置が対応する表紙を要求してそれを加工装置に供給する。
【０００５】
他方、国際公開第２００６／０２０５０１号Ａ２パンフレットによれば、中本あるいは表紙のいずれかが第１の印刷機上で予め製造される。印刷および適宜な品質検査の実施後、第１の印刷機が制御装置に信号を送信し、その制御装置が第２の印刷機において対応する表紙あるいは中本の印刷を開始させる。表紙を予め製造する場合は、まずそれを第１の印刷機から中間蓄積ユニットに供給する。対応する中本を製造した後、予め製造されている表紙を中間蓄積器から取り出して後置された綴付けステーションに搬送し、そこで中本と共に印刷製品に仕上げる。しかしながら、第１の印刷機による信号送信後にその後の表紙の搬送路上で障害が生じても実行中の中本の印刷はもはや中断することができない。その場合中本は対応する表紙が製造されるまで一時貯蔵するかあるいは製造ラインから排除する必要がある。しかしながら、異なった印刷製品を直接前後して製造することができるデジタル印刷機を使用する場合は、排除された中本を再度製本ラインに投入するために極めて大きな労力を必要とする。中間蓄積器が一時貯蔵のために充分な容量を有していない場合、障害が除去されるまで第１の印刷機と並んで第２の印刷機も停止しなければならない。
【先行技術文献】
【特許文献】
【０００６】
【特許文献１】欧州特許出願公開第１２８８０１５号Ａ１明細書
【特許文献２】欧州特許出願公開第１８８０８６３号Ａ１明細書
【特許文献３】国際公開第２００６／０２０５０１号Ａ２パンフレット
【発明の概要】
【発明が解決しようとする課題】
【０００７】
従って本発明の目的は、小部数の印刷製品から産業的な印刷製品までを経済的に製造することができる、冒頭に述べた種類の方法を提供することである。その際に表紙を効率的かつ可能な限り自動的に製造し得るようにすべきである。受発注の制御を自動的に実施しその進行を監視可能にすべきである。
【課題を解決するための手段】
【０００８】
前記の課題は、冒頭に述べた種類の方法において、表紙を予め製造、すなわち中本を製造する前に製造して蓄積器内に供給し、制御装置が蓄積器内への表紙の供給に応答して少なくとも１台の印刷機に中本の製造を開始させることによって解決される。この方式においては表紙が蓄積器内に搬入された際に初めて中本製造の作業が開始されるため、表紙印刷機から蓄積器までの間の表紙の搬送路上で障害が発生してもそのことは対応する中本の製造には全く影響を及ぼさない。この方式によって障害に対する製造プロセスの耐久性が高まり、より良好に監視することができる。
【０００９】
そのため表紙は前記の少なくとも１つの蓄積器に内において個別に格納され、その収容の際に識別される。従って表紙は既に製造時に装置に対して既知である必要はない。むしろ表紙を外部の他の印刷工場で予め製造し、その後蓄積器を介してこの装置に供給することもできる。中本の製造は表紙の識別直後に開始され、それによって比較的高速で時間短縮可能な方法工程が保証される。それに代えて、制御装置が認識された表紙の１つを選出し、その表紙に対応して中本の製造を開始する。このことが印刷製品の製造のより高い柔軟性とより良好な印刷機の稼働率をもたらす。
【００１０】
特に好適にこの制御システムは、蓄積器が中本の製造を開始させる制御要素を形成する、いわゆる“ワークフローシステム”とされる。その際に蓄積器はワークフローシステムに適した容量を有し、すなわち表紙を収容するための適宜な収容能力を有する。例えば、該当する印刷機と対応する後加工機構との間に延在している加工路が書籍５０冊分である場合、蓄積器も５０枚の表紙に加えて予備分を収容し得ることが必要である。搬送装置は、蓄積器内に存在する表紙に応答して製造される中本が蓄積器の容量の範囲内（すなわち適時に）で後加工プロセスに供給されることを保証する。
【００１１】
その際搬送装置は予加工および後加工に関する情報を有する必要はない。むしろ、中本の受容に際してどの後加工装置にそれを移送すればよいかを認識していれば充分である。加えて搬送装置は、特定位置に中本が遅くともいつ存在すべきかについての情報を取得することが可能である。そのため搬送装置は、中本の搬送を制御するとともに適宜な優先順位を設定する独自の知能機構を備えることができ、その知能機構は中本が特定位置に適宜に到達させるよう自動的に作用する。本発明に係る方法の重要な利点の１つは、中本を貯蔵する必要が無いとともにシーケンスを考慮する必要が無い点である。この表紙を予め製造して蓄積器内に中間貯蔵し対応する中本の製造を開始させる方式によって、個々の作業工程がリンクされてはいるものの理論上の分断によって個別に稼働させることができる装置あるいはシステムが可能になる。蓄積器は複数の蓄積ポケットを有し、それらから任意の時点で表紙を取り出しかつ後加工のために供給可能であることが好適である。
【００１２】
表紙は極めて多様に形成および製造することが可能である。これはソフトカバー表紙とするかあるいはいわゆるハードカバー書籍用の堅表紙とすることもでき、それらはデジタル技術あるいは従来のオフセット印刷技術等によって製造することもできる。
【００１３】
本発明の追加構成によれば、フィーダによって表紙を蓄積器に給入することができる。それに代えてその他の手段による給入も可能である。
【００１４】
本発明の課題はさらに請求項１２に記載の装置によっても解決される。
【００１５】
本発明のその他の好適な特徴は、従属請求項ならびに以下に記述する詳細な説明および添付図面によって明らかにされる。
【００１６】
次に、本発明の実施例につき添付図面を参照しながら説明する。
【図面の簡単な説明】
【００１７】
【図１】本発明に係る装置を概略的に示した上面図である。
【図２】図１の装置を概略的に示した立体図である。
【発明を実施するための形態】
【００１８】
図１および図２によれば、装置１が好適にはデジタル印刷機である３台の印刷機４を備える。印刷される紙はいずれも紙ロール２を巻出しする巻出し装置３を介して印刷機４に供給される。しかしながら、図示されていない予め裁断された個別紙葉を使用する印刷機を組み合わせることもできる。印刷されたペーパーウェブは既知の方式で折畳み機５、ならびに裁断および折畳み装置６に給入される。この方式によって形成された印刷紙葉が丁合装置７内で丁合され、最終的に中本８が形成される。個別紙印刷機によって印刷する場合はそれが積重ね装置を備えることができ、従って丁合装置７が不要になる。前記の装置ならびに印刷機は当業者において周知であり、従ってさらに詳細な説明は不要である。印刷機４の数は任意であり、従って１台の印刷機４のみを有する実施形態も可能である。
【００１９】
装置１はさらに表紙製造装置１２を備えている。その中において表紙１３（図２）が既知の方式で製造される。表紙１３は例えばデジタル印刷紙葉でいわゆる“ソフトカバー”あるいは“ハードカバー”として形成することができる。表紙製造装置１２はさらに積層化装置を備えることができる。ハードカバーはさらに当業者において周知の多様な構成要素から形成される。適宜なハードカバー処理を表紙製造装置の一部とすることもできるが、表紙製造装置と直接的に結合する必要はない。内部の表紙製造装置１２からの供給に代えて、表紙１３を外部から供給することもできる。どこでどのように表紙１３が最終的に製造されるかは本発明に関しては基本的に重要でない。勿論所要の表紙１３の提供を可能にする連続生産も可能である。
【００２０】
加えて装置１はそれぞれ少なくとも１台の蓄積器１６を有する３台の後加工装置１９，１９′を備えている。蓄積器１６は例えば欧州特許出願公開第１８８０８６３号Ａ１明細書に開示されているように複数のポケット１８を有する蓄積器回転体１７を備えたドラム型蓄積器とされる。表紙製造装置１２内で製造された表紙１３は蓄積器１６内に給入される。このことはいずれもフィーダ２７によって実施することができる。表紙１３は手動あるいは図中で点線によって示されている搬送装置１４によって表紙製造装置１２からフィーダ２７に搬送される。蓄積器１６とフィーダ２７は１つのモジュールを構成することが好適であり、それぞれ該当する後加工装置１９，１９′上あるいはその直前に配置される。加えて、フィーダ２７は各蓄積器１６に割り当てられる表紙１３を識別するための手段２８（図２）を備える。この手段２８は例えば、該当する表紙１３上にそれぞれ印刷されたバーコードを読み取るレーザ装置を備えることができる。勿論、バーコードに代えて発信機、磁気ストライプ、情報を記録することができるその他の要素等の別の識別方法も可能である。さらに、文字あるいは数字からなるクリアテキストを検知することもできる。フィーダ２７に代えて別の供給手段が表紙１３のために使用される場合、表紙１３を識別するための手段２８は前記の別の供給手段上に配置される。
【００２１】
後加工装置１９はいずれも綴付け装置２０と冷却塔２１あるいはその他の適宜な冷却路と三方裁断機２２と、ならびに完成した印刷製品を取り出すことができる送出部２３を備える。綴付け装置２０内において中本８を綴じ付け、表紙１３を装着する。この綴付け工程は任意のものとすることができる。中本８は搬送装置９を介して綴付け装置２０に給入される。この給入は矢印１１の方向、すなわち搬送装置９のサイドアームを介して実施するか、または矢印１０の方向、すなわち主推進流内で実施することもできる。搬送装置９は複数の受容部２５，２５′を備え、その上でそれぞれ１冊の中本８が丁合装置７から受容され、矢印１０，１１の方向に搬送される。さらに、搬送装置は複数の放出部２６を備え、そこでいずれも１冊の中本８が後加工装置１９，１９′に供給される。搬送装置９は例えばベルト推進機として実施することができる。原則的に把持具等による搬送も可能である。図１および図２中において搬送装置９は水平面方向に形成され制御されるが、その他の方向に構成して中本８を例えば上方あるいは下方に推進することも可能である。例えば、搬送装置はレーザ装置によって中本８を識別し所定の後加工装置１９，１９′に供給することができる。目的地に関する情報は中本８に付帯させることもでき、例えばバーコードあるいは二次元コード、あるいは制御装置によって伝達することもできる。例えば中本８を受容部２５′から後加工装置１９′に供給することができる。この後加工装置は、他の後加工装置１９に比べて堅表紙（ハードカバー）を有する印刷製品のための懸吊装置２４を有する点で異なっている。従って後加工装置１９，１９′は、等しいあるいは異なった構成とすることができる。
【００２２】
装置１は制御パネルとして形成された制御装置１５を備えている。その種の制御装置１５はワークフローシステムを有することもでき、それによって書籍データ、製品情報、あるいは処理情報を上位配置されたシステムから受信することができる。その種の上位配置されたシステムは当業者においてマネージメントインフォメーションシステム（ＭＩＳ）として周知である。勿論、それらのデータは操作者が制御パネル上で入力することも可能である。
【００２３】
以下に本発明に係る方法の例をより詳細に説明する。
【００２４】
顧客あるいは出版社からの印刷製品の発注によって注文が発生する。そのような注文は例えば９７５種類の異なったタイトルからなる１０００冊の印刷製品を含むことができる。この注文が製造単位に割り当てられるか、あるいは新しい製造単位が作成される。１つの製造単位は例えば１つの注文、注文の集合、あるいは１つの作業シフトとすることができ、前記のマネージメントインフォメーションシステムによって計画されるか、またはワークフローシステムあるいは制御装置１５上で適宜に入力される。製造単位はＭＩＳによって所定の規準に従って予め分別するか、またはワークフローシステムあるいはその他の適宜なシステムによって分別することが好適である。実施例中において制御パネル上に存在するワークフローシステムが分別のために機能する。その種の分別は製造する印刷製品を例えば紙質、折り畳み方式等の所定の規準に従ってグループ化するために有効である。その種の分別によって製造単位が定義され、その形式で後の注文の処理のために記録される。
【００２５】
その次のステップにおいてワークフローシステムが表紙製造装置１２に対して対応する表紙１３の製造を開始させ、その際製造順序は製造単位内で固定される。表紙１３が製造されるとそれらは例えばパレット上、台枠上、あるいは台車上に一時貯蔵され、それをもっていわゆる予備製造が終了する。
【００２６】
それに続く表紙１３の蓄積器１６への供給は、表紙製造装置１２と蓄積器１６の間に配置された搬送装置によって自動的に実施可能であるか、または機械操作者が表紙１３をフィーダ２７まで運搬する。表紙１３を収容するためにフィーダ２７は図示されていないマガジンを備えている。フィーダ２７内において表紙１３が個別化され、レーザ装置によって識別して蓄積器回転体１７のポケット１８内に格納される。従って各表紙１３は識別されて各蓄積スペースに割り当てられる。表紙１３はいずれも制御装置１５と結合されている蓄積器１６あるいは綴じ付け装置２０の（図示されていない）制御機構によって管理される。ワークフローシステムには蓄積器１６のどのポケット１８にどの表紙１３が搬入されたかが継続的に伝達される。ワークフローシステムに１枚の表紙１３が確認されると同時に、ワークフローシステムがそのために適した印刷機４に対応する中本８の製造を開始させる。それに代えて、制御装置１５が１枚の識別された表紙１３を選択しその表紙１３に基づいて該当する中本８の製造を開始させることもできる。別の代替案によれば、表紙１３が読み取り可能な制御コードあるいは識別指標を備え、それが識別実施後に該当する印刷機４に中本８の製造を開始させる。
【００２７】
ここで中本８が製造され搬送装置９の受容部２５，２５′に移送される。搬送装置９は中本８を適宜な後加工装置１９，１９′に供給し、機械サイクルの時間と数を自動的に制御する。その際の条件は、蓄積器１６が一回転する前に中本８が後加工装置１９，１９′に供給されることである。後加工装置１９，１９′への中本８の供給が実施されると直ぐに、蓄積器１６から対応する表紙１３を取り出すことができる。蓄積器１６内に収納された表紙１３は何時でも呼び出し可能であり、従って該当するポケット１８がどこに存在していようとも後加工装置１９，１９′にはいずれの加工サイクル中においても表紙１３を対応する蓄積器１６から供給することができる。それに対応して蓄積器１６の容量は比較的大きく設計される。蓄積器１６が該当する後加工装置１９，１９′の直前に配置されるため、蓄積器１６と綴じ付け装置２０の間には比較的短い表紙１３の搬送路が形成される。従って表紙１３の搬送路上において、すなわち対応する中本８の印刷作業の開始後に障害が発生する危険性が著しく低下する。
【００２８】
所定の表紙１３が製造された中本８と結合された後、印刷製品が適正に製造されたことが制御装置１５あるいはワークフローシステムに伝達される。物流システムへの印刷製品の再移送および発送等の後続の処理もワークフローシステムによって制御することができる。
【符号の説明】
【００２９】
１  装置
２  紙ロール
３  巻出し装置
４  印刷機
５  折畳み機
６  裁断および折畳み装置
７  丁合装置
８  中本
９  搬送装置
１２  表紙製造装置
１３  表紙
１４  搬送装置
１６  蓄積器
１７  蓄積器回転体
１８  細室
１９，１９′  後加工装置
２０  綴付け装置
２１  冷却塔
２２  三方裁断機
２３  送出部
２４  懸吊装置
２５，２５′  受容部
２６  放出部
２７  フィーダ
２８  識別手段
【図１】
2010100059.tif 000003
【図２】
2010100059.tif 000004